(57)【要約】【課題】５つの制御信号を有するホイールモジュールを設け、５つの異なる方向の操作ができ、機能の異なる制御信号をそれぞれ発信することで、映像処理装置上の機能ボタンの数量を減らし、体積を大幅に縮小させる映像処理装置を提供する。【解決手段】映像処理装置は、ディスプレィモジュール１１、制御モジュール１２およびホイールモジュール１３を含む。ディスプレィモジュール１１は、デジタル映像を再生する。制御モジュール１２は、ディスプレィモジュール１１に接続され、ディスプレィモジュール１１の制御および映像処理を行なう。ホイールモジュール１３は、制御モジュール１２に接続され、５つの異なる方向の操作制御モードにより、５つの異なる制御信号を制御モジュール１２に送信して映像処理を行う。【選択図】図１
0003146607.tif 000002
【実用新案登録請求の範囲】
【請求項１】
ディスプレィモジュール、制御モジュールおよびホイールモジュールを備える映像処理装置であって、
前記ディスプレィモジュールは、デジタル映像を再生し、
前記制御モジュールは、前記ディスプレィモジュールに接続され、前記ディスプレィモジュールの制御および映像処理を行ない、
前記ホイールモジュールは、
上方に延伸した２つのレールを配置した基座と、
上方に延伸したフレームおよび下方に凸出した凸出部が両側にそれぞれ設けられ、前記２本のフレーム上下にスライドすることにより前記２つのレール上に嵌着されるフレーム枠体と、
前記２本のフレーム上に回転するように枢接され、中央部にグレーティングが設けられたホイールと、
前記基座上に配置され、前記グレーティングに対応して前記ホイールの前回転量または後回転量を検出するセンサユニットと、
前記基座上に配置され、前記フレーム枠体の底部に対応し、前記フレーム枠体が下降すると触動される第1のタッチコントロールスイッチと、
前記基座上に配置され、前記２つの凸出部とそれぞれ対応し、左右に傾けられた前記ホイールが前記フレーム枠体両側の前記２つの凸出部のうちの１つに触動させる第２のタッチコントロールスイッチと、を有し、前記制御モジュールに接続され、前記制御モジュールに複数の制御信号を送信することを特徴とする映像処理装置。
【請求項２】
前記ホイールは、中空状の輪体で、前記グレーティングは複数の輪状に配列された透光溝を有し、前記ホイールの前記中央部に配置され、前記ホイールと軸心が同じであり、前記フレーム枠体はＵ字型のフレームで、両側の前記フレームが空洞で、両側の外側の面にスライド溝がそれぞれ設けられ、前記基座の対応する前記２つのレールにそれぞれ嵌着され、前記センサユニットは前記レールの外側に配置され、中が空洞の前記レールおよび前記ホイール内の前記グレーティングと対応し、前記透光溝を介して前記ホイールの回転量を検出することを特徴とする請求項１に記載の映像処理装置。
【請求項３】
前記映像処理装置は、デジタルビデオカメラカメラで、撮影モジュールをさらに含み、前記撮影モジュールは前記制御モジュールに接続され、外部の被写体を取り込み、また、前記映像処理装置は、デジタルフレームで、前記ディスプレィモジュールがＬＣＤ液晶ディスプレィであることを特徴とする請求項１に記載の映像処理装置。
【考案の詳細な説明】
【技術分野】
【０００１】
本考案は、映像処理装置に関し、特に、ホイールに複数のタッチコントロールスイッチを組合せて異なる機能の制御信号を発信することで、操作ボタンを減らす映像処理装置に関する。
【背景技術】
【０００２】
デジタルテクノロジは、日進月歩であり、従来の映像処理技術もデジタル化の時代に突入した。従来の映像処理装置は、デジタル化にともない、デジタルビデオカメラ、デジタルカメラ、デジタルフレームなど映像の保存および収集が可能な製品が次々に出現した。
【０００３】
従来の映像処理装置は、様々な機能の操作を行うため、機能に対応する複数の機能ボタンを映像処理装置上に設けていた。機能ボタンが配置されるのには一定の空間が必要で、映像処理装置は、体積を縮小することができなかった。そればかりか、逆に、体積が大きすぎるため、重量も増加し、操作も難しくなってしまった。また、機能ボタンを構成する部品が多いため、組立時において、手間がかかり、不良率が増加し、コストも相対的に上昇してしまった。
【０００４】
従来の映像処理装置において、機能ボタンの数量を減らし、最少の操作デバイスで従来の機能ボタンを代替し、全体の重量を大幅に減少させ、体積の縮小およびコスト削減を図ることが本考案の主要な課題である。
【特許文献１】特開２００８−６１２６２号公報
【特許文献２】特開２００８−２０６１３１号公報
【考案の開示】
【考案が解決しようとする課題】
【０００５】
本考案の目的は、少なくとも５つの制御信号を有するホイールモジュールを設け、５つの異なる方向の操作ができ、機能の異なる制御信号をそれぞれ発信することで、映像処理装置上の機能ボタンの数量を減らし、体積を大幅に縮小させる映像処理装置を提供することにある。
【課題を解決するための手段】
【０００６】
上述の目的を達成するため、本考案は、映像処理装置を提供する。本考案の映像処理装置は、ディスプレィモジュール、制御モジュールおよびホイールモジュールを含む。ディスプレィモジュールは、デジタル映像を再生する。制御モジュールは、ディスプレィモジュールに接続され、ディスプレィモジュールの制御および映像処理を行なう。ホイールモジュールは、制御モジュールに接続され、５つの異なる方向の操作制御モードにより、５つの異なる制御信号を制御モジュールに送信して映像処理を行う。
【０００７】
すなわち、請求項１の考案は、ディスプレィモジュール、制御モジュールおよびホイールモジュールを備える映像処理装置であって、前記ディスプレィモジュールは、デジタル映像を再生し、前記制御モジュールは、前記ディスプレィモジュールに接続され、前記ディスプレィモジュールの制御および映像処理を行ない、
前記ホイールモジュールは、上方に延伸した２つのレールを配置した基座と、上方に延伸したフレームおよび下方に凸出した凸出部が両側にそれぞれ設けられ、前記２本のフレーム上下にスライドすることにより前記２つのレール上に嵌着されるフレーム枠体と、前記２本のフレーム上に回転するように枢接され、中央部にグレーティングが設けられたホイールと、
前記基座上に配置され、前記グレーティングに対応して前記ホイールの前回転量または後回転量を検出するセンサユニットと、前記基座上に配置され、前記フレーム枠体の底部に対応し、前記フレーム枠体が下降すると触動される第1のタッチコントロールスイッチと、
前記基座上に配置され、前記２つの凸出部とそれぞれ対応し、左右に傾けられた前記ホイールが前記フレーム枠体両側の前記２つの凸出部のうちの１つに触動させる第２のタッチコントロールスイッチと、を有し、前記制御モジュールに接続され、前記制御モジュールに複数の制御信号を送信することを特徴とする映像処理装置である。
【０００８】
請求項２の考案は、前記ホイールは、中空状の輪体で、前記グレーティングは複数の輪状に配列された透光溝を有し、前記ホイールの前記中央部に配置され、前記ホイールと軸心が同じであり、前記フレーム枠体はＵ字型のフレームで、両側の前記フレームが空洞で、両側の外側の面にスライド溝がそれぞれ設けられ、前記基座の対応する前記２つのレールにそれぞれ嵌着され、前記センサユニットは前記レールの外側に配置され、中が空洞の前記レールおよび前記ホイール内の前記グレーティングと対応し、前記透光溝を介して前記ホイールの回転量を検出することを特徴とする請求項１に記載の映像処理装置である。
【０００９】
請求項３の考案は、前記映像処理装置は、デジタルビデオカメラカメラで、撮影モジュールをさらに含み、前記撮影モジュールは前記制御モジュールに接続され、外部の被写体を取り込み、また、前記映像処理装置は、デジタルフレームで、前記ディスプレィモジュールがＬＣＤ液晶ディスプレィであることを特徴とする請求項１に記載の映像処理装置である。
【考案の効果】
【００１０】
本考案の映像処理装置は、ホイールモジュールが５つの異なる方向の操作制御モードを用い、５つの異なる制御信号を制御モジュールに送信して映像処理を行うため、機能ボタンの数量を減らし、全体の重量を大幅に減少させ、体積を縮小させることができる。また、機能ボタンの数量が減ったため、構造が簡潔になり、材料および組立コストを大幅に節約することができる。
【考案を実施するための最良の形態】
【００１１】
以下、本考案の実施形態を図面に基づいて説明する。
図１を参照して説明する。図１は、本考案の一実施形態による映像処理装置を示す斜視図である。図１に示すように、本考案の映像処理装置１は、デジタルフレーム（digital frame）で、ディスプレィモジュール１１、制御モジュール１２、ホイールモジュール１３および機能ボタン１４を含む。ディスプレィモジュール１１は、映像処理装置１の所定の位置に配置され、デジタル映像を再生する。ディスプレィモジュール１１は、ＬＣＤ液晶ディスプレィでもよい。制御モジュール１２は、ディスプレィモジュール１１に接続され、ディスプレィモジュール１１の制御および映像の処理を行なう。機能ボタン１４は、ユーザが操作する電源スイッチまたは特定の機能ボタンでもよい。
【００１２】
図２を参照して説明する。図２は、本考案の映像処理装置のホイールモジュールを示す斜視図である。図２に示すように、ホイールモジュール１３は、制御モジュール１２に接続され、操作されることにより、少なくとも１つの制御信号を発信して制御モジュール１２を制御する。ホイールモジュール１３は、ホイール１３１、グレーティング１３２、フレーム枠体１３３、基座１３４、センサユニット１３５、第1のタッチコントロールスイッチ１３６および第２のタッチコントロールスイッチ１３７を有する。
【００１３】
ホイール１３１は、中空状の輪体で、ホイール１３１の中央部１３１１にグレーティング１３２を配置している。グレーティング１３２は、複数の輪状に配列された透光溝１３２１を有し、グレーティング１３２の両側の中心に中心軸１３２２がそれぞれ凸出し、ホイール１３１と軸心が同じである。
【００１４】
フレーム枠体１３３は、Ｕ字型のフレームで、両側にフレーム１３３１がそれぞれ設けられている。フレーム１３３１は、グレーティング１３２の両側に凸出した中心軸１３２２を枢接するため、上部に軸受１３３２がそれぞれ設けられている。軸受１３３２により、ホイール１３１は、フレーム１３３１上に枢接される。両側のフレーム１３３１には、空洞部１３３３がそれぞれ設けられ、グレーティング１３２の透光溝１３２１が空洞部１３３３中に配置される。フレーム１３３１は、両側の外側にスライド溝１３３４および凸出部１３３５がそれぞれ設けられている。
【００１５】
基座１３４は、フレーム枠体１３３の下方に配置され、相対するレール１３４１が垂直に設けられている。スライド溝１３３４には、空洞溝１３４２がそれぞれ設けられている。基座１３４のレール１３４１が対応するフレーム枠体１３３のスライド溝１３３４内に挿入されると、空洞部１３３３内に配置された透光溝１３２１が基座１３４の空洞溝１３４２内に同様に配置される。これにより、基座１３４のレール１３４１の外側に配置されたセンサユニット１３５が中が空洞のレール１３４１およびフレーム１３３１を介してホイール１３１内のグレーティング１３２と対応する。センサユニット１３５が透光溝１３２１を介してホイール１３１の前回転量または後回転量が検出し、制御モジュール１２を介してディスプレィモジュール１１の画面を操作する。センサユニット１３５のグレーティング１３２の回転量を検出する技術は、従来技術に属するため、詳細な説明を省略する。
【００１６】
第１のタッチコントロールスイッチ１３６は、基座１３４上の２つの空洞溝１３４２の間の適切な位置に設けられた平台（図に番号は明記せず）上に配置されている。第1のタッチコントロールスイッチ１３６は、平台上に配置されているため、フレーム枠体１３３の底部にさらに接近し、フレーム枠体１３３の底部に押圧触動されやすい。第２のタッチコントロールスイッチ１３７は、フレーム枠体１３３の下方で、第1のタッチコントロールスイッチ１３６の両側にそれぞれ設けられ、フレーム枠体１３３の両側の凸出部１３３５とそれぞれ対応している。第1のタッチコントロールスイッチ１３６および第２のタッチコントロールスイッチ１３７は、従来技術に属するため、詳細な説明を省略する。
【００１７】
図３を参照して説明する。図３は、本考案の映像処理装置の操作状態を示す正面図である。図３に示すように、ホイール１３１が基座１３４の方向に垂直に押圧されると、フレーム枠体１３３のスライド溝１３３４が基座１３４のレール１３４１上で垂直方向に直線運動を行い、フレーム枠体１３３の底部が基座１３４の第1のタッチコントロールスイッチ１３６を触動して制御信号が発信される。ホイール１３１の両側の一方が選択され、所定の圧力が施圧されて左右のどちらかに傾けられると、スライド溝１３３４がフレーム１３３１の圧迫により、施圧された方向に所定の角度傾き、フレーム枠体１３３が傾いた側の凸出部１３３５が基座１３４上に配置された第２のタッチコントロールスイッチ１３７の１つを触動し、異なる信号が発信される。
【００１８】
第１のタッチコントロールスイッチ１３６は、平台上に配置されるため、２つの第２のタッチコントロールスイッチ１３７と異なって触動されやすい。そのため、ホイールモジュール１３が操作されてホイール１３１が押圧され、第1のタッチコントロールスイッチ１３６が触動されて信号が発信されるとき、フレーム枠体１３３の凸出部１３３５は、基座１３４の第２のタッチコントロールスイッチ１３７を同時に触動することはない。反対に、２つの第２のタッチコントロールスイッチ１３７の内の１つが対応する凸出部１３３５に触動されたとき、フレーム枠体１３３は、左右に傾くだけで、上下移動を行なわないため、第1のタッチコントロールスイッチ１３６が触動されることがなく、制御信号が重複して混乱を起こすことはない。
【００１９】
本考案の好適な実施形態において、ホイールモジュール１３は、５方向ホイールモジュールで、少なくとも５つの異なる方向の操作制御モードを有する。ホイール１３１は、フレーム枠体１３３上で前回転および後回転という異なる方向の特性を有し、２種類の異なる制御信号をそれぞれ発信する。これに、第1のタッチコントロールスイッチ１３６および第２のタッチコントロールスイッチ１３７を加えて少なくとも５つの異なる方向の制御が可能になる。少なくとも５つの異なる機能の制御信号に対応することにより、制御信号を制御モジュール１２に送信し、映像処理プログラムを行なう。
【００２０】
図４を参照して説明する。図４は、本考案の一実施形態による映像処理装置のディスプレィモジュールの操作状態を示す図である。図４に示すように、映像処理装置のディスプレィモジュール１１は、１１１、機能メニュ１１２および倍率表示１１３を含む。図４の映像処理装置が図１の映像処理装置１と異なるのは、前後回転により被写体の１１１内での拡大または縮小の表示倍率を迅速に調整し、ディスプレィモジュール１１上の倍率表示１１３に調整後の倍率を表示させることである。従来の映像処理装置がさらに２つ以上の操作ボタンを増設して何度もボタンを押圧して徐々に映像の拡大または縮小を制御するのと異なり、本考案の映像処理装置は、ボタンが少なく、操作時間を短縮することができる。
【００２１】
また、ホイール１３１の両側の一方が選択され、所定の圧力が施圧されて左右のどちらかに傾けられることにより、ディスプレィモジュール１１上の複数の機能メニュ１１２がさらに進んで操作される。ディスプレィモジュール１１上のライトバーの左右移動により異なる機能メニュ１１２が提供される。それぞれの機能メニュ１１２に進んだ後、例えば、撮影、再生、停止、選択、拡大／縮小、早送り／巻き戻しなど異なる撮影パラメータが設定されるが、これらはすべてホイールモジュール１３により選択操作される。ホイールモジュール１３のホイール１３１が押圧されて第1のタッチコントロールスイッチ１３６が触動されると、すぐに確認の機能が実行され、操作インターフェイスの複雑性がさらに簡素化され、同時に映像処理装置１ａ（図５参照）の体積をさらに縮小することができる。従来の映像処理装置において、異なる機能に、対応する異なるボタンが提供され、選択されて入力が行なわれていたのと異なり、本考案の映像処理装置は、簡潔で、材料および組立コストを大幅に節約することができる。
【００２２】
図５を参照して説明する。図５は、本考案のもう一つの実施形態による映像処理装置を示す斜視図である。図５に示すように、映像処理装置１ａは、デジタルビデオカメラカメラ（ＤＶ）で、ディスプレィモジュール１１、制御モジュール１２、ホイールモジュール１３、機能ボタン１４および撮影モジュール１５を含む。撮影モジュール１５は、制御モジュール１２に接続され、外部の被写体を取り込んでディスプレィモジュール１１上で再生する。また、撮影モジュール１５により外部の動画および静止画が取り込まれ、ホイールモジュール１３により少なくとも５種類の異なる方向の操作制御モードが操作され、撮影モジュール１５に操作される異なる機能がそれぞれ提供され、異なる制御信号が発信されることにより、多くの機能ボタンが省かれる。
【００２３】
図６を参照して説明する。図６は、本考案のもう一つの実施形態による映像処理装置のディスプレィモジュールの操作状態を示す図である。図６に示すように、ディスプレィモジュール１１は、フレーム１１１および複数の機能メニュ１１２を含む。フレーム１１１は、被写体を内部に囲み、ホイールモジュール１３を前後回転させて被写体のフレーム１１１内における拡大または縮小の倍率（ズーム倍率）を迅速に調整する。従来の映像処理装置がさらに２つの異なる方向の操作ボタンを増設して異なる撮影パラメータを選択したのと異なり、本考案の映像処理装置は、簡潔で、体積が小さく、コストを大幅に節約することができる。
【００２４】
ホイールモジュール１３が左右のどちらかに傾けられて触動された２つの第２のタッチコントロールスイッチ１３７を介して、ディスプレィモジュール１１上の複数の機能メニュ１１２がさらに進んで操作および使用の切換を行なう。ディスプレィモジュール１１上のライトバーの左右移動により異なる機能メニュ１１２が提供される。それぞれの機能メニュ１１２に進んだ後、例えば、ストロボスイッチ、レッドアイ、タイマー撮影、撮影モード、解像度、ホワイトバランス、ＩＳＯ値調整など異なるパラメータの詳細な調整が設定される。ホイール１３１が垂直に押圧されて第1のタッチコントロールスイッチ１３６が触動されると、すぐに確認の機能が実行される。機能メニュ１１２を出て撮影が行なわれると、ホイール１３１に触動された第1のタッチコントロールスイッチ１３６が撮影を実行する制御信号を発信するようにに設定され、制御信号が制御モジュール１２に送信される。
【００２５】
以上のように、本考案の映像処理装置１は、ディスプレィモジュール１１、制御モジュール１２、ホイールモジュール１３および機能ボタン１４を含む。ディスプレィモジュール１１は、フレーム１１１、機能メニュ１１２および倍率表示１１３を含む。制御モジュール１２は、ディスプレィモジュール１１に接続され、ディスプレィモジュール１１の制御および映像の処理を行なう。ホイールモジュール１３は、制御モジュール１２に接続され、５つの異なる方向の操作制御モードを有する。５つの異なる機能の制御信号に、ディスプレィモジュール１１の機能メニュ１１２および倍率表示１１３の操作が組合せられ、制御モジュール１２の操作により映像処理が行なわれる。
【００２６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。
【図面の簡単な説明】
【００２７】
【図１】本考案の一実施形態による映像処理装置を示す斜視図である。
【図２】本考案の映像処理装置のホイールモジュールを示す斜視図である。
【図３】本考案の映像処理装置の操作状態を示す正面図である。
【図４】本考案の一実施形態による映像処理装置のディスプレィモジュールの操作状態を示す図である。
【図５】本考案のもう一つの実施形態による映像処理装置を示す斜視図である。
【図６】本考案のもう一つの実施形態による映像処理装置のディスプレィモジュールの操作状態を示す図である。
【符号の説明】
【００２８】
１  映像処理装置
１ａ  映像処理装置
１１  ディスプレィモジュール
１２  制御モジュール
１３  ホイールモジュール
１４  機能ボタン
１５  撮影モジュール
１１１  フレーム
１１２  機能メニュ
１１３  倍率表示
１３１  ホイール
１３２  グレーティング
１３３  フレーム枠体
１３４  基座
１３５  センサユニット
１３６  第１のタッチコントロールスイッチ
１３７  第２のタッチコントロールスイッチ
１３１１  中央部
１３２１  透光溝
１３２２  中心軸
１３３１  フレーム
１３３２  軸受
１３３３  空洞部
１３３４  スライド溝
１３３５  凸出部
１３４１  レール
１３４２  空洞溝
【図１】
0003146607.tif 000003
【図２】
0003146607.tif 000004
【図３】
0003146607.tif 000005
【図４】
0003146607.tif 000006
【図５】
0003146607.tif 000007
【図６】
0003146607.tif 000008